(57)【要約】【課題】インターネット接続機能を備えた携帯電話機を使用して電子商取引を行う場合、利用者の通信費の負担を軽減し、さらに負担すべき通信費をポイント化して商店で使用できるようにした電子商取引システムの提供。【解決手段】圧縮・展開機能を持つブラウザシステムＢのサーバを介して商店サイトＤのホームページへアクセスして情報を得るに際して，通信費に応じてポイントを発生し、ポイント管理する為のデータベースＦを有して各携帯電話機毎に加算する。そして商店サイトＤのホームページでの商品購入などの時に、蓄積したポイントを商取引において商品代金の一部として使用する。【選択図】　　　　図２
2004046503.tif 000002
【特許請求の範囲】
【請求項１】
インターネット接続機能を備えた携帯電話機を使用して電子商取引を行うシステムにおいて、圧縮・展開機能を持つブラウザシステムのサーバを介して商店サイトのホームページへアクセスして情報を得ることで該通信費に応じてポイントを発生し、そして上記ポイントを管理する為のデータベースを有して各携帯電話機毎に加算し、商店サイトのホームページでの商品購入等の際に上記ポイントを商取引における商品代金の一部として使用することを特徴とする携帯電話機による電子商取引システム。
【請求項２】
インターネット接続機能を備えた携帯電話機を使用して電子商取引を行うシステムにおいて、圧縮・展開機能を持つブラウザシステムのサーバを介して商店サイトのホームページへアクセスして情報を得ることで該通信費に応じてポイントを発生し、そして上記ポイントを管理する為のデータベースを有して各携帯電話機毎に加算し、商店サイトのホームページでの商品購入等の際にプロキシサーバが定める所定の割合分だけ上記ポイントを商取引における商品代金の一部として使用することを特徴とする携帯電話機による電子商取引システム。
【請求項３】
上記圧縮・展開機能を持つブラウザシステムは、圧縮サーバにて圧縮された情報を携帯電話機が受信すると共に、該形態電話機は対応表を構成したソフトを備え、該対応表を用いて圧縮された情報を元の形に展開し、そしてこの対応表は予め通信するデータの種類毎に一般的なものを統計的に集計して作成した請求項１、又は請求項２記載の携帯電話機による電子商取引システム。
【発明の詳細な説明】
【０００１】
【発明の属する技術分野】
本発明は携帯電話機を用いたデータ通信における通信料金を圧縮技術により削減し、しかも、データ通信量に応じたポイントを発行する電子商取引に関するものである。
【０００２】
【従来の技術】
携帯電話機を用いてデータ通信をする場合、そのデータ量に応じた通信費が必要となるが、一般的には該通信費が高いために電子化による安価な商取引を実感しにくく、又、広く認知されておらず、その為に出店数も少ないのが実状である。
【０００３】
例えば、ある商品をインターネットを介して購入する場合、所定の商品サイトのホームページを検索すると共に、該ホームページを開いて購入しようとする商品に関する情報を得なくてはならない。携帯電話機を使用して該情報を得るには通信費（電話代）が嵩み、商品のコストが安くてもその価値がなくなってしまう。
【０００４】
【発明が解決しようとする課題】
このように、携帯電話機を利用して商品購入などの商取引を行なう場合、上記のごとき問題がある。本発明が解決しようとする課題はこの問題点であり、利用者の通信費の負担を軽減し、さらに負担するべき通信費をポイント化して商店で使用可能とし、電子商取引を活発化するシステムを提供する。
【０００５】
【課題を解決する為の手段】
本発明に係る携帯電話機による電子商取引システムは、２つの大きな特徴を備えている。
（１）通信データの圧縮
インターネットを介して通信を行う携帯電話機と通信するサーバの間に通信を互いに代行する仕組みをもつプロキシサーバによるデータ圧縮によって、データ通信量を削減するシステムを用いて、利用者の通信費の負担を軽減する。
【０００６】
すなわち、圧縮サーバにて圧縮された情報を受信し、携帯電話機は対応表を構成したソフトを備え、該対応表を用いて圧縮された情報を元の形に展開し、そしてこの対応表は予め通信するデータの種類毎に一般的なものを統計的に集計してある（特願２００１−１３７０３８：携帯電話機及び携帯電話機を用いた通信方法）。
【０００７】
（２）データ通信量のポイント化
インターネットを介して通信を行う携帯電話機と通信するサーバの間に通信を互いに代行する仕組みをもつプロキシサーバにより、利用者の負担となるデータ通信量を計測し、そのデータ通信量に応じたポイントを利用者毎（携帯電話機毎）に管理する。
【０００８】
商店は商品毎に割引可能な分をポイント使用可能分として設定し、利用者が商店から商品を購買する場合、データ通信量に応じて蓄積された利用者のポイントを、商店のシステムから該ポイント数を管理するサーバへ照会し、使用可能であれば商取引時（商品などの購入時）に減算することが出来るように構成しているシステムである。
以下、本発明に係る実施例を図面に基づいて詳細に説明する。
【実施例】
【０００９】
利用者はまずこの電子商取引に参加するために、データ通信量を削減することが出来る機能を有するブラウザをサーバよりダウンロードする。図１はデータ通信量削減及び該データ量の管理システムを示している。同図において
Ａ：インターネット接続機能を持つ携帯電話利用者
Ｂ：圧縮・展開機能を持つブラウザシステムで、Ｂ１は携帯電話用プラウザ、Ｂ２はプロキシサーバ
Ｃ：ブラウザシステムによる通信を代行するサーバ
Ｇ：インターネットによりアクセス可能なサイト
【００１０】
そこで、圧縮・展開機能を持つブラウザシステムＢは携帯電話利用者ＡによってあるサイトＧを閲覧する場合、該閲覧にかかる通信費を、プロキシサーバＢ２で圧縮すると共に携帯電話用ブラウザＢ１に送信して展開表示することでデータ通信量を削減することが出来る。そして、プロキシサーバＢ２で圧縮したデータ通信量は該プロキシサーバＢ２で管理する。
【００１１】
すなわち、携帯電話利用者Ａが必要な情報を得る場合、ブラウザシステムＢを通して所定のサイトＧのホームページを検索する。そして、該サイトＧから必要な情報を受信することになるが、プロキシサーバＢ２にて圧縮処理され、圧縮された情報が携帯電話機へ送信される。そして、携帯電話機は圧縮されて受信した情報を元の形に戻して表示することが出来る。従って、携帯電話機とプロキシサーバＢ２との間を送信する情報量が圧縮されることで少なくなり、その結果、送信時間は短縮される。
【００１２】
そこで、携帯電話機には圧縮されて送信した情報が届くことになるが、該圧縮情報を展開して元の形態に戻す為の特別なソフトが備わっている。すなわち、圧縮状態と圧縮される前の状態を関連付ける対応表からなるソフトである。ただし、本発明では具体的な圧縮方法は限定しないことにする。
【００１３】
そして、情報がプロキシサーバＢ２を通る時にデータ通信量を計測することで、利用者が通信費をいくら負担しているかをプロキシサーバＢ２で把握することが可能である。本発明ではこのブラウザシステムで計測される利用者ごとの通信費をポイントとして管理し、電子商取引において利用する。
【００１４】
このように、携帯電話利用者ＡはダウンロードしたブラウザシステムＢを使って商店サイトのホームページを開き、希望する商品をプロキシサーバＢ２の圧縮機能により従来より安価な通信費の負担で閲覧し、そして携帯電話利用者Ａが負担する通信費分のポイントがプロキシサーバＢ２によって管理され、データベースに加算される。
【００１５】
図２は本発明の電子商取引システムを示す該略図である。同図において、
Ａ：インターネット接続機能を持つ携帯電話利用者
Ｂ：圧縮・展開機能を持つブラウザシステムで、Ｂ１は携帯電話用ブラウザ、Ｂ２はプロキシサーバ
Ｃ：ブラウザシステムによる通信を代行するサーバ
Ｄ：ブラウザを使用した通信とポイントが使用出来る商店サイト
Ｅ：Ａ−Ｃ間の通信量に応じて発生するポイント
Ｆ：ポイントを管理するデータベース
Ｇ：インターネットによりアクセス可能なサイト
【００１６】
ところで、携帯電話利用者は商店サイトＤのホームページを開いて商品を購買する時、携帯電話利用者Ａが持っているポイントの範囲内で、商品によって決められたポイント使用可能な分を割り引くことが出来る。携帯電話利用者Ａにより蓄積されたポイントが使用されると、商店サイトＤと携帯電話利用者Ａ、及び使用されたポイント数がデータベースＦに記録される。
【００１７】
以上述べたように、本発明の電子商取引システムは、圧縮・展開機能を持つブラウザシステムを介して携帯電話利用者はデータ通信量を安く得ることが出来ると共に、データ通信量に応じたポイントを管理し、そして携帯電話利用者は蓄積したポイントを商取引時に利用可能としたものであり、次のような効果を得ることが出来る。
【００１８】
【発明の効果】
本発明では情報を検索して受信する際に、データ通信量が圧縮された状態で送信される為に、送信時間が短くなって通信費は安くなる。そしてデータ通信量に応じたポイントがプロキシサーバによって管理され、データベースに記録累積される。携帯電話使用者は、このシステムを利用して電子商取引における通信費の負担を軽減することが出来る。そして負担分のポイントを還元システムにより気軽に商取引に利用することができ、利用する毎に貯まるポイントを使用する為に、電子商取引が賑わうようになる。
【図面の簡単な説明】
【図１】データ通信量を圧縮・展開する通信システム。
【図２】本発明に係る電子商取引システム。
【符号の説明】
Ａ：インターネット接続機能を持つ携帯電話利用者
Ｂ：圧縮・展開機能を持つブラウザシステムで、Ｂ１は携帯電話用ブラウザ、Ｂ２はプロキシサーバ
Ｃ：ブラウザシステムによる通信を代行するサーバ
Ｄ：ブラウザを使用した通信とポイントが使用出来る商店サイト
Ｅ：Ａ−Ｃ間の通信量に応じて発生するポイント
Ｆ：ポイントを管理するデータベース
Ｇ：インターネットによりアクセス可能なサイト
【図１】
2004046503.tif 000003
【図２】
2004046503.tif 000004